(57)【要約】      （修正有）【課題】使用済み核燃料を含むキャニスタを輸送キャスクから貯蔵オーバパックへと、または貯蔵オーバパックから輸送キャスクへと、移送することができる設備を提供する。【解決手段】モジュラ可搬キャスク移送（ＭＰＣＴ）設備１０において、伸縮自在レッグ１２は、キャニスタとは独立した移送キャスクの運動を可能とし、キャニスタはホイストを用いて動かされる。そのモジュラ構成により、ＭＰＣＴ設備は組み立て、分解可能であり、ある原子力発電所から別のそれへと移動可能である。【選択図】図１
2018096991.tif 000002
【特許請求の範囲】
【請求項１】
使用済み核燃料を含むキャニスタを輸送キャスクから貯蔵オーバパックへと、または貯蔵オーバパックから輸送キャスクへと、移送キャスクを用いることで移送するためのモジュラ可搬キャスク移送設備であって、
複数の平行長尺伸縮自在レッグアセンブリであって、各レッグアセンブリが可動ドリーに取り付けられた長尺伸縮自在レッグを有し、各伸縮自在レッグが上端から下端まで延びる長手体を有し、該下端が前記可動伸縮自在レッグドリーに取り付けられ、前記上端が前記下端に対して垂直に移動可能である、複数の平行長尺伸縮自在レッグアセンブリと、
複数の平行長尺リフトビームであって、前記リフトビームのそれぞれが第一端から第二端まで延びる長手体を有し、前記リフトビームのそれぞれが前記伸縮自在レッグの前記上端において支持されかつ前記伸縮自在レッグに対して垂直な方向に設けられる、複数の平行長尺リフトビームと、
可動トロリービームドリーに取り付けられた可動長尺トロリービームを含むトロリービームアセンブリであって、前記トロリービームが第一端と第二端との間に延びる長手体を有し、前記トロリービームが前記リフトビームの前記長手体によって支持されかつ前記リフトビームに対して垂直な方向に設けられる、トロリービームアセンブリと、
前記伸縮自在レッグの前記上端が垂直方向に動かされるときに前記移送キャスクが垂直方向に移動可能となるように、前記移送キャスクを前記トロリービームに接続するための手段と、
前記トロリービームに関連付けられたホイストであって、前記ホイストは前記キャニスタに接続されるためのものであり、前記ホイストは前記キャニスタを垂直方向に動かすためのものであり、前記ホイストは前記キャニスタを前記貯蔵オーバパックから前記移送キャスクへと、または前記移送キャスクから前記貯蔵オーバパックへと動かすためのものである、ホイストと、を備え、
別個の前記伸縮自在レッグと前記ホイストとに基づいて、前記移送キャスクおよび前記キャニスタは互いに独立に垂直方向に移動可能であるモジュラ可搬キャスク移送設備。
【請求項２】
複数のリフトプレートをその側面に有する移送キャスクをさらに備え、
前記接続手段は、前記トロリービームに取り付けられた複数のリフトリンクと、前記リフトリンクを前記リフトプレートに接続する複数の長尺コネクタと、を含む請求項１に記載の設備。
【請求項３】
前記長尺コネクタはスリングである請求項２に記載の設備。
【請求項４】
前記長尺コネクタは固定リンクである請求項２に記載の設備。
【請求項５】
前記移送キャスクは前記使用済み核燃料を含むキャニスタを含む請求項２に記載の設備。
【請求項６】
前記可動伸縮自在レッグドリーおよび前記可動トロリービームドリーは自走式ドリーである請求項１に記載の設備。
【請求項７】
前記伸縮自在レッグの前記上端を前記下端に対して垂直に動かすよう設計された油圧システムをさらに備える請求項１に記載の設備。
【請求項８】
前記伸縮自在レッグアセンブリは四つ含み、前記リフトビームは二つ含む請求項１に記載の設備。
【請求項９】
前記ホイストは空気圧式チェーンホイストである請求項１に記載の設備。
【請求項１０】
各伸縮自在レッグの各長手体は静止内側部材の周りに設けられかつそれによってガイドされる長尺可動外側部材を含み、各長手体はさらに複数の長尺耐震ロッドを含み、各耐震ロッドは、ある伸縮自在レッグのある可動外側部材の上端と隣のレッグの別の隣の可動外側部材の下端とを接続するか、またはある伸縮自在レッグのある可動外側部材の下端と隣のレッグの別の隣の可動外側部材の上端とを接続する請求項１に記載の設備。
【請求項１１】
第一原子力発電所において請求項１に記載の前記モジュラ可搬キャスク移送設備を組み立てて使用することと、
前記組み立てられた設備を使用した後、前記設備を別個のモジュラ部材へと分解することであって、前記別個のモジュラ部材は少なくとも前記伸縮自在レッグアセンブリのそれぞれ、前記リフトビームのそれぞれ、リフトリンクが取り付けられた前記トロリービーム、前記スリングのそれぞれ、および前記ホイストを含む、分解することと、
前記第一原子力発電所とは異なる第二原子力発電所へ、前記別個のモジュラ部材を輸送することと、
前記第二原子力発電所において前記別個のモジュラ部材から前記設備を再度組み立て、前記第二原子力発電所において前記再度組み立てられた設備を使用することと、を含む方法。
【請求項１２】
使用済み核燃料を含むキャニスタを輸送キャスクから貯蔵オーバパックへと、または貯蔵オーバパックから輸送キャスクへと、移送するためのモジュラ可搬キャスク移送設備であって、
複数の平行長尺伸縮自在レッグアセンブリであって、各レッグアセンブリが可動ドリーに取り付けられた長尺伸縮自在レッグを有し、各伸縮自在レッグが上端から下端まで延びる長手体を有し、該下端が前記可動伸縮自在レッグドリーに取り付けられ、前記上端が前記下端に対して上下に移動可能である、複数の平行長尺伸縮自在レッグアセンブリと、
複数の平行長尺リフトビームであって、前記リフトビームのそれぞれが第一端から第二端まで延びる長手体を有し、前記リフトビームのそれぞれが前記伸縮自在レッグの前記上端において支持されかつ前記伸縮自在レッグに対して垂直な方向に設けられる、複数の平行長尺リフトビームと、
可動トロリービームドリーに取り付けられた可動長尺トロリービームを含むトロリービームアセンブリであって、前記トロリービームが第一端と第二端との間に延びる長手体を有し、前記トロリービームが前記リフトビームの前記長手体によって支持されかつ前記リフトビームに対して垂直な方向に設けられる、トロリービームアセンブリと、
前記トロリービームに取り付けられた複数のリフトリンクと、
前記キャニスタを含む移送キャスクであって、前記伸縮自在レッグの前記上端が垂直方向に動かされるときに垂直方向に移動可能となる、移送キャスクと、
前記移送キャスクに取り付けられた複数のリフトプレートと、
リフトリンクを前記リフトプレートに接続する複数の長尺コネクタと、
キャニスタリフトアダプタに接続されたホイストであって、前記キャニスタリフトアダプタが前記キャニスタに取り付けられかつ前記移送キャスクとは独立して前記キャニスタを垂直方向で前記貯蔵オーバパックに入れるかそこから出すよう設計される、ホイストと、を備えるモジュラ可搬キャスク移送設備。
【請求項１３】
前記可動伸縮自在レッグドリーおよび前記可動トロリービームドリーは自走式ドリーである請求項１２に記載の設備。
【請求項１４】
前記伸縮自在レッグの前記上端を前記下端に対して垂直に動かすよう設計された油圧システムをさらに備える請求項１２に記載の設備。
【請求項１５】
前記伸縮自在レッグアセンブリは四つ含み、前記リフトビームは二つ含む請求項１２に記載の設備。
【請求項１６】
前記ホイストは空気圧式チェーンホイストである請求項１２に記載の設備。
【請求項１７】
各伸縮自在レッグの各長手体は静止内側部材の周りに設けられかつそれによってガイドされる長尺可動外側部材を含み、各長手体はさらに複数の長尺耐震ロッドを含み、各耐震ロッドは、ある伸縮自在レッグのある可動外側部材の上端と隣のレッグの別の隣の可動外側部材の下端とを接続するか、またはある伸縮自在レッグのある可動外側部材の下端と隣のレッグの別の隣の可動外側部材の上端とを接続する請求項１２に記載の設備。
【請求項１８】
前記長尺コネクタはスリングである請求項１２に記載の設備。
【請求項１９】
前記長尺コネクタは固定リンクである請求項１２に記載の設備。
【請求項２０】
使用済み核燃料を含むキャニスタを輸送キャスクから貯蔵オーバパックへと、または貯蔵オーバパックから輸送キャスクへと、移送キャスクを用いることで移送するためのモジュラ可搬キャスク移送設備であって、
移送キャスクに取り付けられかつ前記移送キャスクを垂直方向および水平方向に動かすためのガントリー手段と、
前記ガントリー手段に関連付けられたホイスト手段であって、前記ホイスト手段は前記移送キャスクが前記垂直方向および水平方向に動かされるときに動かされる、ホイスト手段と、を備え、
前記ホイスト手段は前記キャニスタに接続されるためのものであり、前記ホイスト手段は前記移送キャスクの前記動きとは独立して前記キャニスタを垂直方向に動かすためのものであり、前記ホイスト手段は前記キャニスタを前記貯蔵オーバパックから前記移送キャスクへと、または前記移送キャスクから前記貯蔵オーバパックへと動かすためのものであり、前記ホイスト手段は前記キャニスタを前記輸送キャスクから前記移送キャスクへと、または前記移送キャスクから前記輸送キャスクへと動かすためのものであるモジュラ可搬キャスク移送設備。
【発明の詳細な説明】
【技術分野】
【０００１】
優先権主張
本願は、２０１６年１２月１３日に出願された米国特許仮出願第６２／４３３,４７１号の優先権の利益を享受する。その出願は、参照によりその全体が本明細書に組み入れられる。
【０００２】
本発明は主に使用済み核燃料を原子力発電所において取り扱い貯蔵するための装置および方法に関する。
【背景技術】
【０００３】
原子炉を有する原子力発電所では、使用済み核燃料は「使用済み燃料プール」と呼ばれる深い水槽の中で貯蔵される。使用済み燃料プールがその使用済み燃料容量限界に達した場合、または原子力発電所が設備の寿命が終わって使用済み燃料プールからの使用済み燃料の完全除去を行う場合、燃料は最終閉鎖蓋を有する金属キャニスタの中へ移送され、該蓋は発電所において使用済み燃料を搭載した後、溶接閉鎖されるか、または機械的手段で封止される。封止されたキャニスタは次いでコンクリート製の貯蔵オーバパックの中に置かれる。この貯蔵オーバパックは、放射性物質を閉じ込める内側の金属キャニスタに機械的保護、熱除去特性、および放射シールドを提供する囲いとして機能する。コンクリート製のオーバパックはキャニスタを含み、該キャニスタの中には放射性物質が貯蔵されており、オーバパックは次いで原子力発電所構造の外ではあるが所有者管理下の土地の指定安全区域に置かれ、この場合、金属キャニスタを含むコンクリート製の貯蔵オーバパックの適切な管理および監視をより確実に行うことができる。
【０００４】
使用済み燃料貯蔵プールから使用済み燃料を取り出し、金属キャニスタの中へ使用済み燃料を入れ、コンクリート製の貯蔵オーバパックの中へ金属キャニスタを入れるプロセスは、天井クレーンおよびそれに伴うつり上げシステムの使用を含み、それらのクレーンやシステムは、地震発生の可能性を含む全ての通常シナリオおよび想定シナリオの間に、扱われているコンポーネントのポジティブで安全な制御が保証されることを確かなものとするために、使用前に徹底的に評価、検証される。これらのコンポーネントが原子力発電施設において安全に取り扱われることを確かなものとするために用いられる評価、プロセスおよび管理は規制調査および認可の対象となる。さらに、その中に金属キャニスタが貯蔵されるコンクリート製の貯蔵オーバパックが貯蔵についてのものではあるがキャニスタのオフサイト輸送についてのものではない規制要件だけを満たすことを注意しておくことは重要である。オフサイト輸送に関連付けられている規制は特別に設計されたオフサイト輸送キャスクの使用を要求する。該キャスクはコンクリート製の貯蔵オーバパックとは設計も材質もかなり異なり、コンクリート製の貯蔵オーバパックを認証するために用いられる法規とは異なる法規の下で監督機関による使用のためにライセンスされる。
【０００５】
原子力発電所の寿命の終わりが近づくと、上述の通り、多くの所有者は使用済み燃料貯蔵プールから使用済み燃料を完全に取り除き、それをドライ貯蔵コンクリートオーバパックの中に入れることを選択し、設備運営に伴う出費を最小化するよう努力する。使用済み燃料が再配置されてしまうと、既存の設備は取り壊され、所有者の土地から除去されてもよい。これが達成されると、コンクリート製またはコンクリート／金属製の貯蔵オーバパックのみが残され、このオーバパックは金属キャニスタを含み、金属キャニスタの中には使用済み核燃料および放射性物質がある。サイトから金属キャニスタを取り除く必要性が生じると、金属キャニスタはコンクリート製の貯蔵オーバパックからオフサイト輸送キャスクへと移送される。しかしながら、天井クレーンを含む構成は取り壊されサイトから取り除かれてしまっているので、コンクリート製の貯蔵オーバパックからオフサイト輸送キャスクへの金属キャニスタの移送を促進するための手段は何ら備えられていない。
【発明の概要】
【０００６】
本開示は、モジュラ可搬キャスク移送（ＭＰＣＴ）設備の種々の実施の形態を提供する。ＭＰＣＴ設備は、使用済み核燃料を含むキャニスタを輸送キャスクから貯蔵オーバパックへと、または貯蔵オーバパックから輸送キャスクへと、移送することができる。伸縮自在レッグは、キャニスタとは独立した移送キャスクの運動を可能とし、キャニスタはホイストを用いて動かされる。そのモジュラ構成により、ＭＰＣＴ設備は組み立て、分解可能であり、ある原子力発電所から別のそれへと移動可能である。
【０００７】
とりわけある実施の形態は、複数の平行長尺伸縮自在レッグアセンブリを有するＭＰＣＴ設備である。各レッグアセンブリは可動ドリーに取り付けられた長尺伸縮自在レッグを有する。各伸縮自在レッグは上端から下端まで延びる長手体を有し、該下端は可動伸縮自在レッグドリーに取り付けられる。上端は下端に対して上下に移動可能である。
【０００８】
ＭＰＣＴ設備は複数の平行長尺リフトビームを含む。リフトビームのそれぞれは第一端から第二端まで延びる長手体を有する。リフトビームのそれぞれは伸縮自在レッグの上端において支持されかつ伸縮自在レッグに対して垂直な方向に設けられる。
【０００９】
ＭＰＣＴ設備は、可動トロリービームドリーに取り付けられた可動長尺トロリービームを含むトロリービームアセンブリを含む。トロリービームは第一端と第二端との間に延びる長手体を有する。トロリービームはリフトビームの長手体によって支持されかつリフトビームに対して垂直な方向に設けられる。
【００１０】
ＭＰＣＴ設備は、伸縮自在レッグの上端が垂直方向に動かされるときに移送キャスクが垂直方向に移動可能となるように、移送キャスクをトロリービームに接続するための手段を含む。
【００１１】
最後に、ＭＰＣＴ設備は、トロリービームに関連付けられたホイストを含む。ホイストはキャニスタに接続されるためのものであり、ホイストはキャニスタを垂直方向に動かすためのものである。ホイストはキャニスタを貯蔵オーバパックから移送キャスクへと、または移送キャスクから貯蔵オーバパックへと動かすためのものであってもよい。別個の伸縮自在レッグとホイストとに基づいて、移送キャスクおよびキャニスタは互いに独立に垂直方向に移動可能であってもよい。
【００１２】
とりわけＭＰＣＴ設備の他の実施の形態は、移送キャスクに取り付けられかつ移送キャスクを垂直方向および水平方向に動かすためのガントリー手段を有する。さらに、ＭＰＣＴ設備はガントリー手段に関連付けられたホイスト手段を有し、ホイスト手段は移送キャスクが垂直方向および水平方向に動かされるとき動かされる。ホイスト手段はキャニスタに接続されてもよく、ホイスト手段は移送キャスクの動きとは独立してキャニスタを垂直方向に動かしてもよい。ホイスト手段はキャニスタを貯蔵オーバパックから移送キャスクへと、または移送キャスクから貯蔵オーバパックへと動かしてもよい。それは、キャニスタを輸送キャスクから移送キャスクへと、または移送キャスクから輸送キャスクへと動かしてもよい。
【００１３】
以下の図面および詳細な説明を調べると、本発明の他の実施の形態、方法、装置、特徴および利点は当業者には明らかであるか、明らかになるであろう。そのような追加的な実施の形態、方法、装置、特徴および利点の全てが本明細書の中に含まれ、本開示の範囲内にあり、かつ添付の請求の範囲によって保護されることが意図されている。
【図面の簡単な説明】
【００１４】
以下の図面を参照することにより、本発明の多くの態様をより良く理解することができる。図面内のコンポーネントは必ずしも実寸通りではなく、むしろ本発明の原理を明確に説明するために強調がなされている。さらに、図面において、いくつかの図面を通じて、同様の参照符号は対応する部材を示す。
【００１５】
【図１】本開示に係るモジュラ可搬キャスク移送（ＭＰＣＴ）設備の斜視図である。図１は、貯蔵オーバパックへキャニスタを渡す目的で、または貯蔵オーバパックからキャニスタを受け取る目的で、移送キャスクがその下側で貯蔵オーバパックと会合しようとしている様子を示す。
【００１６】
【図２】図１のＭＰＣＴ設備の正面図である。
【００１７】
【図３】図１のＭＰＣＴ設備の右側面図である。
【００１８】
【図４】図１のＭＰＣＴ設備の正面図であって、貯蔵オーバパックと会合した移送キャスクおよび移送キャスクの中にあって貯蔵オーバパックの上に位置するキャニスタを示す部分断面図を伴う。
【００１９】
【図５】図１のＭＰＣＴ設備の正面図であって、貯蔵オーバパックと会合した移送キャスクおよび貯蔵オーバパックの中にあって移送キャスクの下に位置するキャニスタを示す部分断面図を伴う。
【発明を実施するための形態】
【００２０】
本開示は、モジュラ可搬キャスク移送（ＭＰＣＴ）設備１０の種々の実施の形態を提供する。図１から５に、ＭＰＣＴ設備１０の一例を示す。ＭＰＣＴ設備１０は、燃料棒などの使用済み核燃料を含むキャニスタを輸送キャスクから貯蔵オーバパックへと、または貯蔵オーバパックから輸送キャスクへと、移送キャスクを用いて移送するために使用されてもよく、また、移送作業中のキャニスタおよび移送キャスクの独立した保護、管理のために使用されてもよく、これは移送作業中に地震事象が生じた場合に重要である。そのモジュラ構成により、ＭＰＣＴ設備１０の解体、移動および再度の組み立ては容易であり、その結果、それは複数の原子力発電所において用いられうる。
【００２１】
構造および組み立て
従来のガントリークレーンとは違い、ＭＰＣＴ設備１０は複数の平行長尺伸縮自在レッグアセンブリ１２を有し、該アセンブリ１２はＭＰＣＴ設備１０が移送キャスクを動かせるようにする。本実施の形態では、少なくとも四つの伸縮自在レッグアセンブリがある。設備のニーズに依存して、より多くの伸縮自在レッグアセンブリが組み入れられてもよい。各レッグアセンブリ１２は可動ドリー１６に取り付けられた長尺伸縮自在レッグ１４を有する。可動ドリー１６は好ましくはモータ駆動で自走型で移動可能なサイドシフトドリーであって少なくとも四つの車輪を伴い、適切なコントローラによって制御されるものである。ドリー１６は、既存の貯蔵パッド１９の上面に沿って設けられたトラック１７にまたはその中に乗る。各伸縮自在レッグ１４は上端１４ａから下端１４ｂまで延びる長手体を有し、該下端は可動伸縮自在レッグドリー１６に取り付けられる。各伸縮自在レッグ１４の各長手体は静止下方内側部材の周りに設けられかつそれによってガイドされる長尺可動上方外側部材を有し、この場合、上端１４ａは下端１４ｂに対して上下に移動可能である。本例では、上方部材および下方部材は正方形の断面を有する。しかしながら、アセンブリの断面は円形であってもよい。さらに、好適な実施の形態では、油圧システムは、伸縮自在レッグ１４の上端１４ａを下端１４ｂに対して上下に動かすよう設計される。他の実施の形態では、油圧システムの代わりに空気圧システムが用いられてもよい。
【００２２】
複数の平行長尺リフトビーム２２、本例では二つ、は伸縮自在レッグ１４の上端１４ａに設けられる。リフトビーム２２のそれぞれは第一端２２ａから第二端２２ｂまで延びる長手体を有する。リフトビーム２２のそれぞれは伸縮自在レッグ１４の上端１４ａにおいて支持されかつ伸縮自在レッグ１４に対して垂直な方向に設けられる。
【００２３】
トロリービームアセンブリ２４は可動長尺トロリービーム２６を備え、可動トロリービームドリー２８に取り付けられる。該可動トロリービームドリー２８は好ましくはモータ駆動で自走型で移動可能なサイドシフトドリーであって少なくとも四つの車輪を伴い、適切なコントローラによって制御されるものである。トロリービーム２６は第一端２６ａと第二端２６ｂとの間に延びる長手体を有する。トロリービーム２６はリフトビーム２２の長手体によって支持されかつリフトビーム２２に対して垂直な方向に設けられる。
【００２４】
複数のリフトリンク３２はトロリービーム２６を移送キャスク３４に取り付けるために用いられうる。移送キャスク３４は、貯蔵パッド１９の上に保持される（例えば、コンクリート製またはコンクリートおよび金属製の）円柱形貯蔵オーバパック３７から（例えば、金属製の）円柱形キャニスタ３５を取り出すか、または円柱形貯蔵オーバパック３７へ円柱形キャニスタ３５を挿入するために用いられうる。貯蔵オーバパック３７の一例は、２０１４年１月２２日に出願され同時係属中の出願番号１４/１６０,８３３に記載されており、その出願は参照によりその全体が本明細書に組み入れられる。移送キャスク３４は例えば金属および他の適切な材料により形成されることで有害な放射からの保護を提供し、かつ、移送キャスク３４に取り付けられた複数のリフトプレート３６を有することで、伸縮自在レッグ１４が持ち上げられたり降ろされたりするにつれて移送キャスク３４が持ち上げられたり降ろされたりすることを可能にする。本実施の形態は移送キャスクの対向する側面に設けられた二つのリフトプレート３６を有する。図４および５に示されるように、移送キャスク３４は、その上端部に開口またはアパーチャを画定するリング３７と、その下端部に二つの摺動金属扉３９ａおよび３９ｂと、を有する。移送キャスク３４の本実施の形態は、２０１４年１月２２日に出願され同時係属中の出願番号１４/１６０,８３３により詳細に記載されており、その出願は参照により本明細書に組み入れられる。
【００２５】
摺動扉３９ａおよび３９ｂは油圧駆動または空気圧駆動であり、移送キャスク３４から外向き側方にスライドする。移送キャスク３４の下側において二つの対向する側面に二つの「Ｃ」形状のチャネルを溶接することで、扉３９ａおよび３９ｂのそれぞれのサイドエッジを捉え、それらをその位置に保持し、摺動面を提供することができる。
【００２６】
複数の長尺コネクタ３８は、リフトリンク３２を移送キャスク３４のリフトプレート３６に接続する。長尺コネクタ３８は例えばスリング（図示される通り）や固定ロッドや固定リンクや他の装置であってもよく、種々の材料から製造されてもよいが、金属であることが好ましい。
【００２７】
ＭＰＣＴ設備１０はさらに従来のホイスト４１を含み、このホイスト４１は好適にはチェーンホイストであり、フック４３を伴う。フック４３はキャニスタリフトアダプタ４２に接続されるよう設計され、キャニスタリフトアダプタ４２はキャニスタ３５に取り付けられる。フック４３はキャニスタ３５を、移送キャスク３４とは独立に上下に動かすよう設計され、移送キャスク３４は伸縮自在レッグ１４を介して上下に動かされる。フック４３はキャニスタリフトアダプタ４２と会合し、二つの会合ピン４５ａおよび４５ｂを用いて拘束され、それらのピンはフック４３をアダプタ４２に基本的にピン留めする。移送キャスク３４の上部の穴のサイズは、ホイスト４１に伴うフック４３が移送キャスク３４を通過するのに十分である。
【００２８】
単一のホイストの代わりに、二重ホイストが用いられてもよい。さらに、好適な実施の形態では、チェーンホイストは空気圧式である。しかしながら、他の実施の形態では、ホイストは電動ワイヤロープホイストや、電気的または空気圧式チェーンまたはワイヤロープホイストシステムの任意の組み合わせであってもよい。
【００２９】
複数の長尺耐震ロッド４４を用いることで、ＭＰＣＴ設備１０を堅牢にすることを補助することができる。これは、構造をより堅固とし、リスティング構成を転倒させうる地震誘起横運動に対する抵抗性を構造に与えることによる。この例では、交差配置において各サイドに二つあり、各耐震ロッド４４は、ある伸縮自在レッグ１４のある可動外側上方部材の上端と隣のレッグ１４の別の隣の可動外側上方部材の下端とを接続するか、またはある伸縮自在レッグ１４のある可動外側上方部材の下端と隣のレッグ１４の別の隣の可動外側上方部材の上端とを接続する。
【００３０】
移送キャスク３４に関するさらなる地震安定性のために、ＭＰＣＴ設備１０はオプションで、図１に示される通り、移送キャスク３４を囲むリング４８を備えてもよく、リング４８はリング４８とレッグ１４のそれぞれとの間に取り付けられるケーブル５２によってその場に支持、保持される。要するに、ケーブル５２を伴うリング４８は移送キャスク３４が水平方向に揺動するのを防ぐ。
【００３１】
図１を参照すると、移送アダプタ５４は移送キャスク３４と貯蔵オーバパック３７との間にそれらが会合するときに一時的に置かれ、これにより移送キャスク３４の支持が補助され、移送キャスク３４の下側の扉３９ａおよび３９ｂの開閉が補助される。移送アダプタ５４は総じて平坦な矩形金属プレートを含み、該プレートはその中をキャニスタ３５が通る中央孔を有する。移送アダプタ５４は、プレート上にそのサイドに沿ってインデクスレール５６ａおよび５６ｂを有し、これにより移送キャスク３４の位置決めが補助され、扉３９ａおよび３９ｂのためのガイドとして機能する。移送アダプタ５４は、対応するロッド６２ａおよび６２ｂを伴う油圧式または空気圧式シリンダ５８ａおよび５８ｂを有し、それらのシリンダはそれぞれ移送キャスク３４の扉３９ａおよび３９ｂを操作する（すなわち、押したり引いたりする）。
【００３２】
利用および動作
ＭＰＣＴ設備１０は、燃料棒などの使用済み核燃料を含むキャニスタ３５を輸送キャスク（不図示）から貯蔵オーバパック３７へと、または貯蔵オーバパック３７から輸送キャスクへと、移送キャスク３４を用いて移送するために使用されてもよく、また、移送作業中のキャニスタ３５および移送キャスク３４の独立した保護、管理のために使用されてもよく、これは移送作業中に地震事象が生じた場合に重要である。
【００３３】
キャニスタ３５が貯蔵オーバパック３７から取り出されて輸送キャスクへと移される場合、オーバパック３７の上部の蓋４６が取り除かれる。移送アダプタ５４は貯蔵オーバパック３７の上に置かれる。移送キャスク３４は次いで貯蔵オーバパック３７の上で位置決めされる。移送キャスク３４の扉３９ａおよび３９ｂを移送アダプタ５４で開ける。ホイスト４１のフック４２を輸送キャスク３４を通して下げ、会合ピン４５ａおよび４５ｂを用いてキャニスタリフトアダプタ４２と会合させる。キャニスタ３５は貯蔵オーバパックから垂直に持ち上げられ、移送キャスク３４の中に入る。移送キャスク３４の扉３９ａおよび３９ｂを移送アダプタ５４で閉じる。伸縮自在レッグ１４を上げることで移送キャスク３４を上げる。
【００３４】
移送アダプタ５４（または他の同様のアダプタ）を輸送キャスクの上に置く。輸送キャスクは、キャニスタ３５を受けるためにその上部において開いている。移送アダプタ５４は輸送キャスクの上に置かれる。ドリー１６および２８を用いることで、キャニスタ３５を伴う移送キャスク３４を、輸送キャスクの上にある移送アダプタの上の位置へと動かす。移送キャスク３４の扉３９ａおよび３９ｂを移送アダプタ５４で開ける。ホイスト４１はキャニスタ３５を下ろし、輸送キャスクの中へ入れる。会合ピン４５ａおよび４５ｂを後退させることで移送アダプタ５４からフック４３を外す。ホイスト４１はそのフック４３を上げる。移送キャスク３４の扉を移送アダプタ５４で閉じる。ドリー１６および２８を用いて移送キャスク３４を輸送キャスクから離れるように動かす。移送アダプタ５４を取り除く。
【００３５】
輸送キャスクから貯蔵オーバパック３７へとキャニスタ３５を動かす場合、上記の手順を単純に逆にする。さらに、ある貯蔵オーバパックから別の貯蔵オーバパックへ、または同じ貯蔵パッド１９上に設けられた検査ステーションへキャニスタを移送するためにプロセスを用いることができる。
【００３６】
変形および変更
本発明の上述の実施の形態、特に「好適な」実施の形態、が単なる可能性のある実装例であり、単に本発明の原理の明確な理解のために設けられたものであることは強調されるべきである。本発明の精神および原理から実質的に逸脱することなく、本発明の上述の実施の形態に対する多くの変形や変更がなされうる。本明細書において、そのような変形や変更の全てが本開示の範囲内に含まれることが意図されている。
【００３７】
変形の一例として、伸縮自在レッグ１４は二つより多い入れ子部材、すなわち、上方部材および下方部材より多くの部材、を有してもよい。
【００３８】
変形の他の例として、移送キャスク３４、キャニスタ３５および／または貯蔵キャスク３７は、例えば正方形、矩形、八角形などの円形ではない他の断面形状を有してもよく、本開示の設備１０はこれらとの関連で用いられてもよい。
【図１】
2018096991.tif 000003
【図２】
2018096991.tif 000004
【図３】
2018096991.tif 000005
【図４】
2018096991.tif 000006
【図５】
2018096991.tif 000007
【外国語明細書】
2018096991000001.pdf